Podtech/llm-jp-corpus-v4-ja_patent huggingface dataset:
(57)【要約】 【課題】  容易に偽造、改ざんされることのない新規な改ざん防止印鑑登録証カードを提供する。【解決手段】  センターコア層１の表面に表面印刷層を設け、センターコア層１１の裏面に裏面印刷層を設け、表面印刷層の表面に表面ラミネート層５を設け、裏面印刷層の裏面に裏面ラミネート層１５を設けてあり、上記表面印刷層が、地紋、細紋等の模様層の変色パールインキ層３とその他の印刷層４の２層からなることを特徴とする。【選択図】    図２
0003132151.tif 000002
【実用新案登録請求の範囲】
【請求項１】
センターコア層の表面に表面印刷層を設け、センターコア層の裏面に裏面印刷層を設け、表面印刷層の表面に表面ラミネート層を設け、裏面印刷層の裏面に裏面ラミネート層を設けてあり、上記表面印刷層が地紋、細紋等の模様層の変色パールインキ層とその他の印刷層の２層からなることを特徴とする改ざん防止印鑑登録証カード。
【請求項２】
上記裏面印刷層が変色パールインキ層とその他のインキ層の２層からなる上記請求項１に記載の改ざん防止印鑑登録証カード。
【請求項３】
上記裏面印刷層がその他のインキ層の１層からなる上記請求項１に記載の改ざん防止印鑑登録証カード。
【考案の詳細な説明】
【技術分野】
【０００１】
本考案は、各自治体が発行する印鑑登録証カードであって、偽造、改ざんを防止できるようにした改ざん防止印鑑登録証カードに関する。
【背景技術】
【０００２】
各自治体では、その自治体に所属する個人が印鑑登録をすると、印鑑登録証カードを発行する。この印鑑登録証カードは、個人の資産管理のためにきわめて重要なカードであり、偽造、改ざんされると個人情報の漏洩や犯罪に繋がるという課題がある。
【考案の開示】
【考案が解決しようとする課題】
【０００３】
本考案は、上記課題に鑑みて、容易に偽造、改ざんされることのない新規な改ざん防止印鑑登録証カードを提供する。
【課題を解決するための手段】
【０００４】
そのために、本考案改ざん防止印鑑登録証カードは、センターコア層の表面に表面印刷層を設け、センターコア層の裏面に裏面印刷層を設け、表面印刷層の表面に表面ラミネート層を設け、裏面印刷層の裏面に裏面ラミネート層を設けてあり、上記表面印刷層が、地紋、細紋等の模様層の変色パールインキ層とその他の印刷層の２層からなることを特徴とする改ざん防止印鑑登録証カード。
上記裏面印刷層が変色パールインキ層とその他のインキ層の２層からなるとよい。
上記裏面印刷層がその他のインキ層の１層からなるものであってもよい。
【考案の効果】
【０００５】
本考案改ざん防止印鑑登録証カードは、センターコア層の表面に表面印刷層を設け、センターコア層の裏面に裏面印刷層を設け、表面印刷層の表面に表面ラミネート層を設け、裏面印刷層の裏面に裏面ラミネート層を設けてあり、上記表面印刷層が、地紋、細紋等の模様層の変色パールインキ層とその他の印刷層の２層からなるから、地紋、細紋等の模様層の変色パールインキ層の偽造、改ざんがきわめて困難であり、偽造、改ざんができない改ざん防止印鑑登録証カードを提供できる効果がある。
【考案を実施するための最良の形態】
【０００６】
図面に示した実施例により本考案の詳細を説明する。
図１に本考案改ざん防止印鑑登録証カードの実施例を示してあり、図２にその好ましい実施例の拡大断面図を示してあり、図３に別の実施例の拡大断面図を示してある。
この改ざん防止印鑑登録証カードは、図２の拡大断面図に示すように、カード表面側のセンターコア層１とカード裏面側のセンターコア層１１を有する。この表面側のセンターコア層１の表面に、地紋、細紋等の模様層の変色パールインキ層を設けてあり、この変色パールインキ層３の表面にその他の印刷層４を設けてある。このその他の印刷層４はオフセット印刷またはシルク印刷である。このその他の印刷層４の表面に表面ラミネート層を設けてある。
【０００７】
同様にしてカード裏面側のセンターコア層１１の裏面に、地紋、細紋等の模様層の変色パールインキ層１３を設けてあり、この変色パールインキ層１３の表面にその他の印刷層１４を設けてある。このその他の印刷層１４の裏面に裏面ラミネート層１５を設けてある。
上記表面側の変色パールインキ層３とその他の印刷層４とは、その位置を逆にしてもよい。同じく裏面側の変色パールインキ層１３とその他の印刷層１４とはその位置を逆にしてもよい。
【０００８】
図３には別の実施例の拡大断面図を示してある。この実施例では図２に示した符号と同一の符号は同じ層を示してあり、裏面側の変色パールインキ層を省略してある。
【図面の簡単な説明】
【０００９】
【図１】本考案改ざん防止印鑑登録証カードの表面図。
【図２】本考案改ざん防止印鑑登録証カードの一実施例の拡大断面図。
【図３】本考案改ざん防止印鑑登録証カードの別の実施例の拡大断面図。
【符号の説明】
【００１０】
１    表面側センターコア層
３    変色パールインキ層
４    その他の印刷層
５    表面ラミネート層
１１  裏面側センターコア層
１３  変色パールインキ層
１４  その他の印刷層
１５  裏面ラミネート層
【図１】
0003132151.tif 000003
【図２】
0003132151.tif 000004
【図３】
0003132151.tif 000005
(57)【要約】【課題】本考案はレンジ廻りの壁面を天ぷら油等の汚れや輻射熱より守り、初期火災の消火の補助材として役立て、色柄も豊富で台所の美観も良好にし、取り付け簡単で洗浄できるレンジガードを提供する。【解決手段】不燃シートの上下端にポケット５を複数付けて、その中に磁石２を取り付けレンジガード3を形成する。レンジ廻りの壁面やガスレンジ台6の側面にレンジガード3の磁石２と合致する位置に磁石板１を固定し、用途に応じてレンジガード3をレンジ廻りの壁面に全面装着させたり、又は屈曲させレンジガード３の上端の磁石２はレンジ廻りの壁面に固定した磁石板１に、下端の磁石２はガスレンジ台６の側面に固定した磁石板１にそれぞれ装着させて、食材が隙間へ落下するのを防止する。さらに壁面の広さにより、レンジガード3の使用枚数を増減して壁面を保護する。【選択図】図１
0003132124.tif 000002
【実用新案登録請求の範囲】
【請求項１】
不燃シートを用いたレンジガードの裏面に磁石を付けて、レンジ廻りの壁面に固定した磁石板に取り付け簡単で洗浄できるレンジガード。
【考案の詳細な説明】
【技術分野】
【０００１】
本考案は、てんぷら油等の汚れの飛散防止のレンジガードに汚れたら取り外して洗浄できる機能を持たせたレンジガードに関するもの。
【背景技術】
【０００２】
従来のレンジガードは、小さな磁石でレンジ台に数箇所止めるだけのアルミ製の衝立式のものや、ポリエステルフィルムを直接壁面に貼り付けるタイプなどがあり、レンジ廻りの壁面を汚れより保護しているが、レンジガードが鍋など調理器具の軽い接触により簡単に移動、落下し安定性を欠いたり、ポリエステルフィルム製は時々の張替えとこれまでと同様に壁面を拭かなくてはならない。またレンジガード自体の汚れは今まで問題にされることは少なく、大半は汚れたら使い捨てにされている。
【０００３】
最近では、大きな鍋を使用した場合でも周囲を加熱しにくく油飛散防止ガードとして使用でき、レンジ上面を覆う水平な載置台としても使用できる支持バーや支持ステイ、複数枚のガード板を備えたレンジガードがある。(特許文献１)  しかし、こちらは複雑な部材のために掃除に時間を要する。その上、保護できるのはレンジ台の正面のみである。
【０００４】
【特許文献１】特開２００５−１９５２１３号公報
【考案の開示】
【考案が解決しようとする課題】
【０００５】
本考案は、レンジ廻りの壁面を天ぷら油等の汚れや輻射熱より守りレンジ廻りを最大限広く確保もでき、初期火災時の消火の補助材として役立ち、色柄も豊富で台所の美観も良好にし使い捨てず、取り付け簡単で洗浄できるレンジガードを提供する。
【考案の効果】
【０００６】
本考案は、不燃シートの裏面に磁石を取り付けてレンジガードにするもので、レンジ廻りの壁面を輻射熱から守り、天ぷら油等の汚れが付着した場合は、洗浄したい部分を取り外して、手洗い又は、洗浄機等で洗浄した後、乾燥させあらかじめレンジ廻りの壁面に固定してある磁石板に、しわにならないように伸ばして装着すれば、繰り返して使用できる。またレンジガードをレンジ廻りの壁面に装着することでレンジ廻りを最大限広く使用できる。その上、不燃シートを用いたレンジガードであるため天ぷら油等の初期火災時の消火の補助材として役立てることで、レンジ廻りの壁面などを炎より保護できる。
【０００７】
ガスレンジ台の側面に磁石板を固定し、レンジガードの下端を装着させて、レンジ廻りの壁面とガスレンジ台の間に調理時の食材が落下するのを防止する。その他、本考案の素材が不燃シートであるため色柄が豊富でキッチンの壁面の色や好みに応じて選択できることを特徴とする。以上の事から汚れたら簡単に取り外して洗浄できるので経済的でありレンジ廻りを広く確保もでき、必要な所に自由に装着できるレンジガードを提供する。
【考案を実施するための最良の形態】
【０００８】
不燃シートの上下端にポケット５を複数付けて、その中に磁石２を移動しないように取り付けレンジガード3を形成する。その際にステッチ４でレンジガード3のポケット５を補強する。またレンジ廻りの壁面には、レンジガード3のポケット５に取り付けた磁石2と合致する位置に磁石板1を難燃性の接着剤等を用いて固定し、そこにレンジガード3を装着する。また、磁石板1をガスレンジ台6の側面に固定し、レンジガード3の上端のポケット５に取り付けた磁石2は、レンジ廻りの壁面に固定した磁石板１に装着させ、レンジガード3の下端のポケット５に取り付けた磁石２は、レンジガード３を屈曲させてガスレンジ台6の側面に固定した磁石板１に装着させて使用することにより、レンジ廻りの壁面とガスレンジ台６の間に食材が落下することを防止する。さらにレンジ廻りの壁面の広さに応じてレンジガード3を複数枚用いて壁面を保護することを特徴とする。
【実施例】
【０００９】
以下、添付図５を用いて一実施例を説明する。
図５は、ガスレンジ台6を使用しレンジガード3をレンジ廻りの全壁面に装着した時の斜視図である。ガスレンジ台6の周囲を汚れから保護するため、レンジガード3を隙間ができないように隅で突き合わせにして、レンジ廻りの壁面にあらかじめ固定してある磁石板１に、レンジガード3のポケット５に取り付けた磁石２を合致させて装着したものである。
【図面の簡単な説明】
【００１０】
【図１】レンジガードの正面図
【図２】レンジガードと磁石板の側面図
【図３】磁石板の正面図
【図４】レンジガードの上端は壁面に下端はガスレンジ台に装着した場合の側面図
【図５】レンジガードを壁面に装着した場合の斜視図
【符号の説明】
【００１１】
１  磁石板
２  磁石
３  レンジガード
４  ステッチ
５  ポケット
６  ガスレンジ台
【図１】
0003132124.tif 000003
【図２】
0003132124.tif 000004
【図３】
0003132124.tif 000005
【図４】
0003132124.tif 000006
【図５】
0003132124.tif 000007
(57)【要約】      （修正有）【課題】タングステン鋼切削ブレード構造を提供する。【解決手段】主として、ロッド１０の先端に、ツールビット２０が螺着され、該ロッドとツールビットとが、タングステン鋼材質により、一体成型され、該ロッドの先端に、ネジ穴１１が設けられ、また、ネジ穴の先端に、接合凹槽１２が形成され、また、ツールビットの底端に、ネジ杆２１が突出し、該ネジ杆の前段に、接合フランジ２２があり、該接合凹槽の深さが、接合フランジの高さに等しく、また、該接合凹槽の幅が、接合フランジの厚さに等しいことにより、ツールビットとロッドとが螺着される時、ネジ穴とネジ杆とが螺着されるだけでなく、接合凹槽と接合フランジにより、密着的に接合される。【選択図】図１
0003132125.tif 000002
【実用新案登録請求の範囲】
【請求項１】
主として、ロッドの先端に、ツールビットが螺着され、該ロッドとツールビットとが、タングステン鋼材質により、一体成型され、該ロッドの先端に、ネジ穴が設けられ、また、ネジ穴の先端に、接合凹槽が形成され、また、ツールビットの底端に、ネジ杆が突出し、該ネジ杆の前段に、接合フランジがあり、該接合凹槽の深さが、接合フランジの高さに等しく、また、接合凹槽の幅が、接合フランジの厚さに等しい、ことを特徴とするタングステン鋼切削ブレード構造。
【考案の詳細な説明】
【技術分野】
【０００１】
本考案は、タングステン鋼切削ブレード構造に関し、特に、コストの低減と加工効率の向上が実現されるタングステン鋼切削ブレード構造に関する。
【背景技術】
【０００２】
精密工具の切削ブレードに対して、主として、精密性や安定性が要請され、また、その材質は、タングステン鋼や一般鋼であり、そして、既存の切削ブレードは、一体成型が多く、また、タングステン鋼材質であれば、一体成型されたブレードがより安定でありながら、その切削の品質もより良くなり、ブレードの磨耗から言えば、ツールビットが最もであり、ツールビットが毀損すれば、ブレード全体を交換しなければならないため、コストが高くなり、そのため、業界により、結合されるものが開発され、即ち、ロッドにツールビットが溶接され、ツールビットが磨耗した時、ツールビットだけを交換すれば良く、これにより、コストを節約でき、また、該ロッドは、一般として、鋼材質であり、ツールビットとロッドとの両者の硬度が異なるため、従来の一体成型であるブレードのコストが高い欠点を解消できるが、結合密度が良くない問題と硬度が異なる問題により、加工時の安定性や精密性が良くない課題を解決しなければならない。
【考案の開示】
【考案が解決しようとする課題】
【０００３】
本考案の主な目的は、コストが低く、加工効率が向上されるタングステン鋼切削ブレード構造を提供する。
【課題を解決するための手段】
【０００４】
請求項１の考案は，主として、ロッドの先端に、ツールビットが螺着され、該ロッドとツールビットとが、タングステン鋼材質により、一体成型され、該ロッドの先端に、ネジ穴が設けられ、また、ネジ穴の先端に、接合凹槽が形成され、また、ツールビットの底端に、ネジ杆が突出し、該ネジ杆の前段に、接合フランジがあり、該接合凹槽の深さが、接合フランジの高さに等しく、また、接合凹槽の幅が、接合フランジの厚さに等しい、ことを特徴とするタングステン鋼切削ブレード構造である。
【考案を実施するための最良の形態】
【０００５】
本考案は、図１乃至３のように、主として、ロッド１０の先端に、ツールビット２０が螺着され、該ロッド１０は、タングステン鋼材質により一体成型され、該ロッドの先端に、ネジ穴１１が形成され、また、ネジ穴１１の先端に接合凹槽１２が形成される。
【０００６】
該ツールビット２０は、タングステン鋼材質により一体成型され、また、底端に、ネジ杆２１が突出し、該ネジ杆２１の前段は、接合フランジ２２であり、該接合フランジ２２の高さが、接合凹槽１２の深さに等しく、また、その厚さが、接合凹槽１２の幅に等しい。
【０００７】
上記のように、ツールビット２０とロッド１０とを螺着する時、ネジ穴１１とネジ杆２１との螺着によるだけでなく、接合凹槽１２と接合フランジ２２により、密着的に接合され、そのため、結合隙間の問題が解消されて、精密工具の安定性と加工効率が向上される。
【図面の簡単な説明】
【０００８】
【図１】本考案の立体分解図
【図２】本考案の立体組合図
【図３】本考案の組立て断面図
【符号の説明】
【０００９】
１０      ロッド
１１      ネジ穴
１２      接合凹槽
２０      ツールビット
２１      ネジ杆
２２      接合フランジ
【図１】
0003132125.tif 000003
【図２】
0003132125.tif 000004
【図３】
0003132125.tif 000005
(57)【要約】【課題】  顧客に対する訴求力を高めることが可能な電子ＰＯＰ広告装置を提供する。【解決手段】  主画像を表示する主画像表示領域１５と、テロップを表示するテロップ表示領域１６、１６ａ、１６ｂにより構成される表示部を備えるとともに、表示部を囲む筐体表面には、主画像およびテロップに対応する商品についての広告が印刷された広告印刷部１４ａ、１４ｂが設けられている。【選択図】  図２
0003132126.tif 000002
【実用新案登録請求の範囲】
【請求項１】
主画像を表示する主画像表示領域と、主画像に関連する情報を表示する関連情報表示領域により構成される表示部と、主画像の音声を出力するスピーカを備え、前記関連情報表示領域は、前記表示部に主画像を表示したときに生じる余白領域を利用していることを特徴とする電子ＰＯＰ広告装置。
【請求項２】
前記関連情報表示領域は、前記表示部に前記主画像の画素数の縦横比と前記主画像表示領域の画素数の縦横比を同じにして表示したときに生じる余白領域を利用していることを特徴とする請求項１に記載の電子ＰＯＰ広告装置。
【請求項３】
前記表示部を囲む筐体の表面には、前記主画像に関連する商品情報が付加されていることを特徴とする請求項１に記載の電子ＰＯＰ広告装置。
【考案の詳細な説明】
【技術分野】
【０００１】
本考案は、小売店の店頭に置く等してＰＯＰ広告を行うための電子ＰＯＰ広告装置に関する。
【背景技術】
【０００２】
従来、小売店の店頭に置いたり、商品につけたりする広告である、いわゆるＰＯＰ広告が行われている。ＰＯＰ広告を行うための電子ＰＯＰ広告装置としては、液晶ディスプレイ等の表示装置が用いられ、広告対象商品の映像等が流されている。
【考案の開示】
【考案が解決しようとする課題】
【０００３】
しかしながら、上記従来の電子ＰＯＰ広告装置は、映像を単純に流すだけのものであり、顧客に対する訴求力が低いという問題がある。
【０００４】
そこで、本考案は、顧客に対する訴求力を高めることが可能な電子ＰＯＰ広告装置を提供することを課題とする。
【課題を解決するための手段】
【０００５】
上記課題を解決するため、本考案では、主画像を表示する主画像表示領域と、主画像に関連する情報を表示する関連情報表示領域により構成される表示部と、主画像の音声を出力するスピーカを備え、前記関連情報表示領域は、前記表示部に主画像を表示したときに生じる余白領域を利用していることを特徴とする電子ＰＯＰ広告装置を提供する。
【考案の効果】
【０００６】
本考案によれば、表示部により主画像とテロップがそれぞれ表示されるとともに、表示部を囲む筐体表面には、主画像およびテロップで流されている商品の情報が付加されているので、顧客に対して、画像、文字、写真等の多様な形態で同時に広告を行うことができ、訴求力が高まるという効果を有する。
【考案を実施するための最良の形態】
【０００７】
以下、本考案の好適な実施形態について、図面を参照して詳細に説明する。
図１は、本考案に係る電子ＰＯＰ広告装置の外観正面図である。図１において、１１は筐体、１２は表示部、１３ａ、１３ｂはスピーカ、１４ａ、１４ｂは広告印刷部である。
【０００８】
図１（ａ）に示した電子ＰＯＰ広告装置は、公知の小型表示装置そのものであり、筐体１１の正面中央に液晶ディスプレイ等の表示部１２を備え、筐体１１の正面両側にスピーカ１３ａ、１３ｂを有している。筐体の大きさは、幅（図面左右方向）が１７０ｍｍ、高さ（図面上下方向）が１０７ｍｍ、厚みが３０ｍｍ程度である。この小型表示装置は、内部に画像データを記録したメモリを備え、電源が入れられると、メモリ内に記録された画像データが表示部１２に表示されるようになっている。
【０００９】
本考案に係る電子ＰＯＰ広告装置の特徴の１つは、図１（ｂ）に示すように、小型表示装置の筐体１１の正面両側に広告印刷部１４ａ、１４ｂを設けた点にある。広告印刷部１４ａ、１４ｂは、筐体の一部、または表示部を囲むように設けても良い。このように、筐体正面に広告を印刷しておくことにより、その広告と同一対象についての画像を表示部１２に表示すれば、顧客に対する訴求力を高めることが可能となる。また、表示部が７インチ、８．４インチとしたときに横方向に大きくなり、主画像の画素数の縦横比と主画像表示領域の画素の縦横比を同じにして表示すれば横方向に余白領域が生じる。そこで、余白領域を利用して主画像に関連するテロップまたは別画像を表示して利用することができる。５インチ用に作成したコンテンツを、７インチ、８．４インチの表示部をもつ電子ＰＯＰ広告装置に利用した場合、左右の横方向以外にも上下方向の余白領域を利用することができる。さらに、本考案に係る電子ＰＯＰ広告装置は、その内部においても構成が異なっており、内部に備えたメモリには、主画像となる画像データと、主画像の余白領域に表示するテロップとなるテキストデータまたは画像データが記録されており、電源が入れられると、メモリ内から画像データとテキストデータまたは画像データが読み込まれ、表示部１２に領域を分けて表示されるようになっている。
【００１０】
図１（ｂ）に示した電子ＰＯＰ広告装置は、店頭に配置された後、電源が入れられると、上述のように、メモリ内から画像データとテキストデータが読み込まれ、表示部１２に領域を分けて表示される。ここで、主画像となる画像データの表示領域、およびテロップとなるテキストデータの表示領域を明示した状態を図２に示す。図面では、主画像表示領域とテロップを表示するテロップ表示領域を設けているが、テロップに関わらず商品にかかる動画をながしても良い。
【００１１】
図２において、１５は主画像表示領域、１６、１６ａ、１６ｂはテロップ表示領域である。図２（ａ）〜（ｃ）は、それぞれ表示部１２における主画像表示領域とテロップ表示領域の配置が異なっている。図２（ａ）の例では、主画像表示領域１５が中央に位置し、その左右両側に２つのテロップ表示領域１６ａ、１６ｂが位置している。図２（ｂ）の例では、主画像表示領域１５が右側に位置し、左側にテロップ表示領域１６が位置している。図２（ｃ）の例では、主画像表示領域１５が左側に位置し、右側にテロップ表示領域１６が位置している。
【００１２】
図２（ａ）〜（ｃ）の表示は図示しないスイッチの切り替えにより変化させることができ、内蔵された表示処理装置が、設定された領域に、主画像、テロップを表示させる処理を行う。図２に示すように、表示部１２内を主画像表示領域、テロップ表示領域に分け、同一商品についての広告を画像と文字で行うことにより、顧客に対する訴求力が高まる。筐体正面の広告印刷部１４ａ、１４ｂには、同一商品についての広告が印刷されているので、より広告効果が高まることになる。
【図面の簡単な説明】
【００１３】
【図１】本考案に係る電子ＰＯＰ広告装置の外観正面図である。
【図２】主画像の表示領域、テロップの表示領域を明示した状態を示す図である。
【符号の説明】
【００１４】
１１・・・筐体
１２・・・表示部
１３ａ、１３ｂ・・・スピーカ
１４ａ、１４ｂ・・・広告印刷部
１５・・・主画像表示領域
１６、１６ａ、１６ｂ・・・テロップ表示領域
【図１】
0003132126.tif 000003
【図２】
0003132126.tif 000004
(57)【要約】【課題】  日常持ち歩く携帯電話、手帳、煙草、ライターその他小物類を手ぶらで歩くことが出来るようにする。【解決手段】  現在の流行のジーパンに合い、携帯電話機、その他小物類を便利に収納するベルトとして考案した。ガンベルトをイメージし、タバコ、ライター、雑誌、新聞、ペットボトル、その他を収納ケースに入れ、ベルトに取り付けることにより従来持ち歩いていたカバンを持たなくてもすみ、手ぶらで歩けるようにした。【選択図】図１
0003132669.tif 000002
【実用新案登録請求の範囲】
【請求項１】
携帯電話機、システム手帳、タバコ、ライター、雑誌など本来バック等に収めていた小物類をベルト式のバックにコンパクトに便利に収めることが出来る。
【請求項２】
小物類のバック部分は取り外しが出来るカートリッジタイプとなり、入れる用途により交換が可能。
【請求項３】
ベルト部分を流行のジーンズスタイルに合わせることにより、高いファッション性をアピールすることできる。
【考案の詳細な説明】
【技術分野】
【０００１】  多機能でファッツション性あるベルト
【考案の開示】
【考案が解決しようとする課題】
【０００２】  従来のベルトでは携帯電話機だけを装着するものであったが多機能をもったファッション性に優れたデザインにした。
【考案の効果】
【０００３】  ホルスターベルトでは携帯電話機だけではなくタバコ、ライター、雑誌、新聞、ペットボトル、その他、カバンに入れて持ち歩いていたものを、それぞれのケースにいれることにより手ぶらで歩くことが出来る。手ぶらで歩くことが出来ることにより、安全歩行また忘れ物防止ともなる。携帯電話をベルト式のバックで身に付けることにより、従来バックの中では気が付き難かったバイブレーションの振動も感知できる。
【図面の簡単な説明】
【０００４】
【図１】ホルスターベルトの平面図
【図２】ペットボトル入れの図
【図３】マガジン入れの図
【図４】携帯電話入れの図
【図５】タバコ・小物入れの図
【符号の説明】
【０００５】Ａ  ベルト穴
Ｂ  ベルト穴
Ｃ  ベルト穴
Ｄ  ベルト穴
Ｅ  携帯電話用
Ｆ  ペットボトル用
Ｇ  マガジン用
Ｈ  煙草・小物類
【図１】
0003132669.tif 000003
【図２】
0003132669.tif 000004
【図３】
0003132669.tif 000005
【図４】
0003132669.tif 000006
【図５】
0003132669.tif 000007
【手続補正書】
【提出日】平成19年2月28日(2007.2.28)
【手続補正１】
【補正対象書類名】実用新案登録請求の範囲
【補正対象項目名】全文
【補正方法】変更
【補正の内容】
【実用新案登録請求の範囲】
【請求項１】
革製ベルトにカートリッジ式収納バックを設け、携帯電話機、システム手帳、タバコ、ライター、雑誌など本来バック等に収めていた小物類をベルト付帯の収納バックに収めることが出来る取替え自由な収納バック付ベルト。
【手続補正２】
【補正対象書類名】明細書
【補正対象項目名】全文
【補正方法】変更
【補正の内容】
【考案の詳細な説明】
【技術分野】
【０００１】  本考案は、従来のベルトにカートリッジ式収納小型バックを設けた、革製ベルトに関するものである。
【考案の開示】
【考案が解決しようとする課題】
【０００２】  手荷物品である従来バックに入れていた小物で、咄嗟にバックから取り出す必要性のあるもの特に携帯電話をベルト収納バックで肌身につけることにより携帯電話の着信を敏感に感じ取れるよう解決するものである。携帯電話以外にも従来バックに入れなければならない小物品（タバコ、ライター、雑誌、新聞、ペットボトル等）も同様収納バックで携帯が自在になる。
【考案の効果】
【０００３】  本考案は、貴重品を小型バックに設けたベルトに携帯することにより、ひったくりの防止。また従来手で持ち歩いていた小物類（タバコ、ライター、雑誌、新聞、ペットボトル等）を収納ベルトで携帯することにより手ぶらで歩くことが出来る。手ぶらで歩くことが出来ることにより、安全歩行また忘れ物防止ともなる。
【符号の説明】
【０００４】  Ａ，Ｂ，Ｃ，Ｄ，と穴が開いている部分に、Ｅ、Ｆ、Ｇ，Ｈ，を自由に取り付ける、取り付けるのは１のボタンにより簡単に取り外しができるものである。
【図面の簡単な説明】
【０００５】
【図１】本考案のカートリッジ式収納バックを示す全体図である。
【図２】ペットボトル用カートリッジバックである。
【図３】マガジン用カートリッジバックである。
【図４】携帯電話用カートリッジバックである。
【図５】煙草用カートリッジバックである。Ａ、Ｂ、Ｃ、Ｄ、穴  Ｅ  携帯電話用  Ｆ  ペットボトル用  Ｇ  マガジン用  Ｈ  煙草・小物類
(57)【要約】【課題】本考案はウリ科植物の表皮面に文字や模様を彫刻することによってウリ科植物に付加価値を付け、文言の入った見栄えの良いギフト商品として提供する。【解決手段】ウリ科植物の表皮面に文字や模様をくり抜いたマスキングシールを貼り、その上からサンドブラスト加工を施して文字や模様を彫刻する。【選択図】図１
0003132667.tif 000002
【実用新案登録請求の範囲】
【請求項１】
ウリ科植物の表皮面にサンドブラスト加工を施し、文字や模様を彫刻したウリ科植物。
【考案の詳細な説明】
【技術分野】
【０００１】  この考案は、ウリ科植物にサンドブラスト加工を施し、文字や模様を彫ったウリ科植物に関するものである。
【背景技術】
【０００２】  従来、ウリ科植物は野菜や有用植物としてそのままのかたちで販売されていた。
【考案の開示】
【考案が解決しようとする課題】
【０００３】  従来、スイカをはじめウリ科植物を贈答品として利用する場合は、包装をした後に熨斗を付けたり、リボンを付けたりしていた。梱包や装飾を付けることで贈答品としての見栄えを良くしているだけのものであった。ウリ科植物に文字や模様を彫刻し付加価値を付け、文言の入った贈答品として提供出来るようにすることを課題とする。
【課題を解決するための手段】
【０００４】  本考案は、ウリ科植物の表皮面にマスキングシールを貼り付けた上からサンドブラスト加工を施し、文字や模様を彫刻する。
【考案の効果】
【０００５】文字や模様を彫刻したためにウリ科植物に装飾が施され見栄えがよくなった。名前や記念日等の文字を彫刻することによって、ウリ科植物に文言を入れることが出来るようになった。文言の入った付加価値のある贈答品として使えるようになった。
【考案を実施するための最良の形態】
【０００６】  ウリ科植物の表皮面に文字や模様をくり抜いたマスキングシールを貼り付ける。マスキングシールの上からサンドブラスト加工を施し、マスキングシールのくり抜かれた部分だけに砂を通り抜けさせる。通り抜けた砂が直接ウリ科植物の表皮面に吹き付けられ、文字や模様だけを彫刻することが可能となる。
【実施例】
【０００７】  添付図面に従って一実施例を説明する。スイカ１の表皮面に文字をくり抜いたマスキングシール２を貼り付ける。マスキングシールの上からサンドブラストガン３で砂４を吹き付ける。マスクシールにくり抜かれた文字や模様部分に砂を吹き付け、スイカの表皮面にサンドブラスト加工し彫刻を施す。
【図面の簡単な説明】
【０００８】
【図１】本考案の一実施例を示す斜視図である。
【符号の説明】
【０００９】      １  スイカ
２  マスキングシール
３  サンドブラストガン
４  砂
【図１】
0003132667.tif 000003
【手続補正書】
【提出日】平成19年3月27日(2007.3.27)
【手続補正１】
【補正対象書類名】実用新案登録請求の範囲
【補正対象項目名】全文
【補正方法】変更
【補正の内容】
【実用新案登録請求の範囲】
【請求項１】
ウリ科植物の果実の表皮面にサンドブラスト加工を施し、文字や模様を彫刻したウリ科植物果実の果皮の表面構造。
(57)【要約】      （修正有）【課題】長尺野菜から一般野菜までポリ袋に入れる作業に使用する装置を提供する。【解決手段】本体フレームの高さ調整が出来て、長尺野菜から一般野菜までポリ袋７に入れる事が出来る機械であり、ポリ袋取付金具をカセット式４で取替が手軽に出来る機械。【選択図】図１
0003132662.tif 000002
【実用新案登録請求の範囲】
【請求項１】
本体フレームが上下スライド出来る構造のフレーム上部にポリ袋、多数枚セットできるポリ袋取付金具（図４）の形状をカセット式に差し込んで取替が出来る  送風機を上部に設置してエヤーを送ってポリ袋全体を広げて上より野菜を入れる長尺野菜から一般野菜までポリ袋に入れる事が出来る事を特徴とする野菜ポリ袋入機。
【考案の詳細な説明】
【技術分野】
【０００１】長尺野菜から一般野菜をポリ袋に入れる事ができる装置。主な野菜、長尺野菜、ネギ、ゴボウ、ウド、ニラ、フキ、一般野菜、ニンジン、キュウリ、ピーマン、水菜、ホウレン草、サラダ菜、ジャガイモ、サトイモなど、ポリ袋に入れる作業に使用する装置。
【背景技術】
【０００２】長尺野菜から一般野菜まで各種の機械を使用している従来の機械はポリ袋の取付が大変な作業です。
【考案の開示】
【考案解決しようとする課題】
【０００３】長尺野菜の場合はフレームの高さをスライド調整できる構造にするポリ袋の取付金具をカセット式にして手軽に取替もできること。ポリ袋の取付金具もエヤーが入りやすくする形状にする。
【課題を解決するための手段】
【０００４】本体フレームを下部と上部をスライド出来る高さを調整出来る様にする送風機をフレーム上部に取り付けてポリ袋にエヤーが入りよい所に設置する。ポリ袋に取付金具をカセット式にして、上部フレームに差し込んで取替も手軽に出来る様にする。また、形状もエヤーがポリ袋に入れよくする長尺野菜から一般の野菜まで使用できる機械にする。
【考案の効果】
【０００５】本考案により長尺野菜から一般の野菜まで１台の機械で出来るポリ袋の取替もカセット式ですので、手軽に取替も出来るので、従来より作業も楽になり能率も良くなる。
【実施例】
【０００６】フレーム下部（１）を上部（２）に組み合わせ、高さ調整できる上部（２）に送風機（３）を取り付けて、ポリ袋取付金具（４）にポリ袋多数枚セットして押さえ板（５）を使って上部（２）の左右溝（６）送風機よりエヤーを送ってポリ袋全体を広げて上より野菜を入れてポリ袋を引っ張り出す。自動的に作業が出来るポリ袋の取替カセット式ですので手軽に出来る機械。
【図面の簡単な説明】
【０００７】
【図１】  長尺野菜用、ポリ袋入機全体斜視図
【図２】  一般野菜用全体斜視図
【図３】  部品図
【図４】  ポリ袋取付金具カセット図
【図５】  ポリ袋取付金具組立図
【図６】  上部平面側面図
【符号の説明】
【０００８】  （１）  フレーム下部
（２）  フレーム上部
（３）  送風機
（４）  ポリ袋取付金具カセット式
（５）  ポリ袋押さえ板
（６）  ポリ袋取付金具差込溝
（７）  ポリ袋
（７）−１  ポリ袋取付穴
（７）−２  ポリ袋前面切カキ
（８）  押さえ金具スライド軸
（９）  ポリ袋押さえ金具
（１０）  圧縮バネ
（１１）  テーブル
（１２）  スイッチ
【図１】
0003132662.tif 000003
【図２】
0003132662.tif 000004
【図３】
0003132662.tif 000005
【図４】
0003132662.tif 000006
【図５】
0003132662.tif 000007
【図６】
0003132662.tif 000008
【手続補正書】
【提出日】平成18年12月14日(2006.12.14)
【手続補正１】
【補正対象書類名】実用新案登録請求の範囲
【補正対象項目名】全文
【補正方法】変更
【補正の内容】
【実用新案登録請求の範囲】
【請求項１】
（１）高さ調整出来るフレームの上部に送風機を設置する。
（２）ポリ袋取付金具  ４  にポリ袋多数枚セットしてフレーム上部溝に差し込むカセットに取替が手軽に出来る。
（３）取付金具  ４  にポリ袋多数枚セットし、上部の送風機よりエアーがポリ袋に入りよくする為にポリ袋押さえ板  ５  形状してポリ袋にエアーが入りよくするポリ袋が広がったら上より野菜入れてから引っ張り出すことが連続して作業できる事を特徴とする野菜ポリ袋入機。
【手続補正書】
【提出日】平成19年2月26日(2007.2.26)
【手続補正１】
【補正対象書類名】実用新案登録請求の範囲
【補正対象項目名】全文
【補正方法】変更
【補正の内容】
【実用新案登録請求の範囲】
【請求項１】
（１）高さ調整出来るフレームの上部に送風機を設置して
（２）ポリ袋取付金具４にポリ袋切カキ部を前に多数枚セットしてフレーム上部の左右の溝６に差し込むポリ袋押さえ金具９にポリ袋押さえ板５を取り付けて左右スライド軸８に圧縮バネをはめてポリ袋を送り出す
（３）上部の送風機よりエアーを送ってポリ袋全体を広げて上より野菜を入れてから下部より引っ張り出すことが自動的に作業できる事を特徴とする野菜ポリ袋入れ機。
(57)【要約】【課題】メッセージをより深く人に伝えるために、透かしを用いたポストカードを提供する。【解決手段】付属されている用紙にメッセージを書き、枠のある、折りたたみ式のカードの中に貼る。光などに裏面を向けて枠を覗くと、メッセージが透けて見えるカードを特徴とする。【選択図】図１
0003132665.tif 000002
【実用新案登録請求の範囲】
【請求項１】
付属されている用紙にメッセージを書き、枠のある、折りたたみ式のカードの中に貼る。光などに裏面を向けて枠を覗くと、メッセージが透けて見えるカードである。
【請求項２】
この仕組みにより、消費者が自由にメッセージを考えることができ、それにより、相手により深く気持ちを伝えることができるカードである。
【考案の詳細な説明】
【考案の詳細な説明】
【技術分野】
【０００１】この考案は、人が人に思いを伝える時に、より深く伝えることができる、透かしの入ったポストカードに関するものである。
【背景技術】
【０００２】従来より、ポストカードは、綺麗な写真や、有名な人の絵などがただカードに印刷されているだけのカードであった。  従って、使用度は低く、現在ではあまり活躍されていない分野である。
【考案が解決しようとする課題】
【０００３】これは次のような欠点があった。
イ  写真や絵など、有名な人の作品を印刷されているのであれば、多少は消費者が買うかもしれないが、従来のポストカードは使用度が低い。
ロ  従来のポストカードを買う消費者は、ポストカードの収集家、もしくはその印刷された作品が好きな人たちに限定されている。
本考案は、以上の欠点を解決するためになされたものである。
【課題を解決するための手段】
【０００４】付属されている用紙にメッセージを書き、枠がある、２重にするための一枚の用紙が貼られた、折りたたみ式のカードの指定された場所の中に付属の用紙を貼る。その後、折りたたみ式のカードを折りたたみ、両面を貼り合わせる。その状態で、光などに裏面を向けて枠を覗くと、メッセージが透けて見える、透かしがあるカードである。
本考案は、以上の構成によりなるポストカードの中にメッセージを書くことができ、透かしによりメッセージが浮き上がるカードである。
【考案を実施するための最良の形態】
【０００５】以下、本考案の実施の形態を説明する。
イ  まず、使用するものは２点である。  ポストカードサイズで、枠がある、折りたたみ式のカードと、折りたたみ式カードの内部の指定された部分に貼る為の、メッセージを書く用紙がある。
ロ  折りたたみ式カードは、上下に折りたたむようになっており、内部に用紙を貼る場所があり、点線などで指定してある。  カードを折りたたんだ状態の外見は、枠が中央にあり、枠の中には、通常、写真や絵が印刷されてある用紙が貼られてある。
ハ  組み立て方は非常に簡単である。  折りたたみ式カードの指定された部分にメッセージなどを書いた用紙を貼り、カードを折りたたんで、貼り合せれば完成である。
ニ  完成したカードの裏部分を光などに照らすことにより、中に書かれたメッセージが透けて見ることができる。
本考案は以上の構成によりなっている。
本考案のように、カードの中に消費者がメッセージを自由に書くことができ、それを光に照らして、透かすことで、メッセージは、深く相手に伝えることができる。
又、メッセージだけにとらわれず、表部分の写真や絵をさらに楽しませるために、内部の紙に別の写真や絵などを貼り合わすこともできる。
【考案の効果】
【０００６】本考案は、従来のポストカード消費者だけではなく、異性に思いを伝えたい人がラブレター的に使用したり、クリスマスカードや年賀状といった、幅広いニーズに答えることができるポストカードなのである。
この考案を使用することにより、従来のポストカードに更なる進化を与えることができるのである。
【図面の簡単な説明】
【０００７】
【図１】本考案の正面図、本体を広げた内部図、及び断面図である。
【図２】本考案の使用方法、及び使用状態を示す正面図である。
【図１】
0003132665.tif 000003
【図２】
0003132665.tif 000004
【手続補正書】
【提出日】平成19年3月15日(2007.3.15)
【手続補正１】
【補正対象書類名】実用新案登録請求の範囲
【補正対象項目名】全文
【補正方法】変更
【補正の内容】
【実用新案登録請求の範囲】
【請求項１】
本体となる長方形の紙には半分に折りたためるよう、真ん中に折れ目がついており、重ね合わせる事で積層構造のカード体となり、一方には枠をもうけ、もう一方にはその枠と同じサイズの点線の枠をもうけており、枠のある面に写真や絵などの表現物を内部から貼ってあり、点線の枠がある面には付属してあるメッセージ用紙を貼るがゆえに、４層構造のカード体となり裏側からカード体に光を照らす事で枠を覗くと内部のメッセージが透けて見える、以上からなるカード体である。
(57)【要約】【課題】一般家庭や業務用で、書籍や食器などの物品を収納棚に収納する際の、物品の出し入れ作業を脚立や踏み台を使わずに行える縦回転式の収納棚を提供する。また、清掃の際、収納棚の向きのを容易に３６０度回転することができる収納棚を提供する。【解決手段】突起の付いたチェーンを両側に配置し、この突起に棚を懸架することで、棚を常に水平な状態で縦方向に移動することができる。また、収納棚を回転台に載せることで、必要に応じて３６０度自在に収納棚の向きを変えることができる。【選択図】図１
0003132692.tif 000002
【実用新案登録請求の範囲】
【請求項１】
立方型に成形したフレームの両側面に復数個の歯車を取付け、突起の付いたチェーンをかける、このチェーンの突起に両側にフックが付いた棚板を懸架することで、棚が常に水平な状態を保ったまま任意の高さに現われる構造を持つ収納棚。
【請求項２】
上記請求項１の収納棚を、縦軸回転する回転台が付いた架台に載せることで、収納棚の向きを３６０度自在に変えることができる構造を持つ収納棚。
【考案の詳細な説明】
【技術分野】
【０００１】本案は、一般家庭から業務用に至る、限られた空間を最大限に活用し、かつ作業効率を向上させる収納棚の構造に関する。
【背景技術】
【０００２】書籍や食器などあらゆる物品を収納する際、多段の箱型棚やフレームに棚板を固定した棚が用いられるが、収納した物品を出し入れする場合、作業する人は脚立や踏み台を使って作業する必要があり、最上段から最下段までの高低差があることが難点であった。【０００３】このような、収納棚は棚板の数を多くすると収納棚が大きくなり、一度設置すると移動することが困難になる。
【考案の開示】
【考案が解決しようとする課題】
【０００４】本考案は、上記実情に鑑みてなされたもので、収納棚の棚板の位置を任意の高さに容易に変えることができ、物品の出し入れの作業にかかる手間を大幅に削減することができる収納棚を提供するものである。【０００５】本考案は、さらに必要に応じて収納棚の向きを容易かつ３６０度自在にかえることができる、極めて作業効率を向上させる収納棚を提供するものである。
【課題を解決するための手段】
【０００６】前述の課題を解決するために、本考案の収納棚は、立方型に成形したフレームの両側に歯車を復数個取付け、棚の大きさに準じた間隔で突起を付けたチェーンを歯車に掛ける。両側にフックが付いた棚を両側のチェーンの突起に掛け懸架する。両側の歯車を同時に回転させると、棚が常に水平な状態で正面に現われることを特徴とする構造である。【０００７】また、上記の収納棚を縦軸回転の回転台を付けた架台に載せることで、棚を懸架したまま収納棚の向きを３６０度自在に変えることができることを特徴とする構造である。
【考案の効果】
【０００８】本考案により、物品の収納における物品の出し入れ作業の際、作業する人が脚立や踏み台を使用することなく、歯車を回転させるだけで容易に、必要な物品が収められた棚を任意の高さに移動することができるようになる。【０００９】本考案により、書籍や食器などの物品の収納において、清掃などで収納棚を移動する場合、収納棚自体を容易かつ自在に３６０度回転させ、作業するができるようになる。
【考案を実施するための最良の形態】
【００１０】図１のフレーム  １  の上下に歯車  ２  を左右同時に回転するよう図２の軸  １１  の両側に取り付ける、この歯車に突起がついたチェーン  ３  を突起の位置が左右水平になるように張る。このチェーン  ３  の突起に図３のフック  １３  で棚を懸架し、配置する。図１の減速機  ７  のハンドル  ８  を廻すとチェーン  ９  により歯車  ２  及びチェーン  ３  が回転し、棚  ４  が常に水平を保ったままチェーン  ３  の軌道上を移動する。歯車のサイズ及び数、条件によって増減する。また、歯車の駆動は、手動のほかにモーターによる自動も可能である。【００１１】図１のフレーム  １  は回転台  ５  によって３６０度自在に向きを変えることができる。
【産業上の利用可能性】
【００１２】本考案は、一般家庭、業務用を問わず限られた空間でより多くの、書籍、食器などの物品を収納する際に、物品を出し入れする人が、脚立や踏み台を使わずに作業することができる収納棚に関するものである。
【図面の簡単な説明】
【００１３】
【図１】本考案の右側面図
【図２】本考案の正面図
【図３】棚の簡単な斜視図
【符号の説明】
【００１４】  １  フレーム
２  歯車
３  突起付きチェーン
４  棚
５  縦軸回転台
６  架台フレーム
７  減速機
８  ハンドル
９  チェーン
１０  軸受け
１１  軸
１２  突起
１３  フック
【図１】
0003132692.tif 000003
【図２】
0003132692.tif 000004
【図３】
0003132692.tif 000005
(57)【要約】【課題】    釣り糸に付いている仕掛け（針の付いた餌）をもっと遠くへ投げたいとき、釣り竿、リールに巻いた道糸の太さ、釣り竿の弾力にもよるが、使っている道具で投げるには仕掛け（針の付いた餌）の付いた上に重り、その重りにあった浮きに変えるとき、この連結浮きの元浮き差込部に柔軟性ゴムを装着しているのである程度太さの異なった元浮きの頂部の突起部の太さの場合でも挿入が容易に可能に出来、その重りを連結浮きに見合った重量の重りにすれば仕掛け（針に付いた餌）をより遠くへ投げることが出来る。【解決手段】    第１の考案は釣り用の元浮きの頂部の突起部を有し、その突起部に連結浮きを柔軟性ゴムを介して連結する連結浮き。さらに第２の考案は元浮きの頂部の突起部の太さが細い場合、元浮きの頂部の突起部と柔軟性ゴムの間に固定棒を挿入する請求項１記載の連結浮き。【選択図】図４
0003132681.tif 000002
【実用新案登録請求の範囲】
【請求項１】
釣り用元浮きの頂部の突起部を有し、その突起部に連結浮きを柔軟性ゴムを介して、連結することを特徴とする連結浮き。
【請求項２】
元浮きと柔軟性ゴムの間に固定棒を挿入することを特徴とする請求項１記載の連結浮き。
【考案の詳細な説明】
【技術分野】
【０００１】  元浮きの突起部の太さが異なった太さの元浮きでも挿入ができ釣り用浮きはより早く必要な浮力が得られる。
【背景技術】
【０００２】  今使われている釣り用浮きでゴム差込、道糸通し、道糸通し金具付、で重りに合った浮力を合わすにはゴム差込、道糸通し、道糸通し金具付、を元浮きとする。【０００３】  元浮きは必要であるが、元浮きを幾つも用意し取替えにも手間がかかる問題があった。従来は元浮きと差込浮きは、その差込部を一対にして用いられるものであり両者の直径が一定のものである。
【特許文献１】  実開昭６３−１１９３６
【特許文献２】  実開昭６３−１７３０７１
【考案の開示】
【考案が解決しようとする課題】
【０００４】  釣り糸に付いている仕掛け（針の付いた餌）をもっと遠くへ投げたいとき、釣り竿、リールに巻いた道糸の太さ、釣り竿の弾力にもよるが、使っている道具で投げるには、仕掛け（針の付いた餌）の付いた上の重り、その重りに合った浮きに変えるとき、この連結浮きの元浮き差込部に柔軟性ゴムを巻いているので、【０００５】  ある程度太さの異なった元浮きの頂部の突起部の太さの場合でも挿入が容易に可能に出来、その重りを連結浮きに見合った重量の重りにすれば仕掛け（針の付いた餌）をより遠くへ投げることが出来る。
【課題を解決するための手段】
【０００６】  第１の考案は釣り用の元浮きの頂部に突起部を有し、その突起部に連結浮きを柔軟性ゴムを介して連結する連結浮き。さらに第２の考案は元浮きの頂部の突起部が細い場合、元浮きを柔軟性ゴムの間に固定棒を挿入する請求項１記載の連結浮き。【０００７】  従って投げたい距離により例えば遠くへ投げたいときは重い重りを使うことになるが、この場合は元浮きに連結浮きを挿入して行くだけで元浮きを代えることなく重りに見合った浮力が得られる。
【考案の効果】
【０００８】  本考案は、市販されている通常の浮きを元浮きとして、その上部に連結浮きとして差込み用いるものであり、元浮きはその頭部の形状や寸法は多種多様である。【０００９】  本考案は、連結浮きと差込口柔軟性ゴムと固定棒を用いることにより市販されている浮きのいづれにも適用できる連結浮きである。
【考案を実地するための最良の形態】
【００１０】  連結浮きの挿入口には、元浮き差込部がありその差込部に柔軟性ゴムが装着してある。従って元浮きの頂部の突起部の太さが異なっていても連結浮き挿入口内径プラス柔軟性ゴムの厚みで、その後の挿入口の空きで元浮きの頂部の突起部の太さのものが挿入できるも元浮き。
【００１１】  又図５に示すように元浮きの頂部の突起部が細いとき連結浮きの挿入口には元浮き差込部があり、その部分が連結浮き挿入口内径プラス柔軟性ゴムの厚みでその後の挿入口の空きで柔軟性ゴムと元浮き頂部の突起部の挿入口の間に固定棒と元浮き頂部の突起部の部分を挿入すると元浮き頂部の突起部が異なった太さでも挿入できる。
【実地例】
【００１２】  図４例で説明すると図１に示した連結浮き１の元浮き差込部３の内径が９ｍｍとしてその内側に介した柔軟性ゴム４の厚みが２．５ｍｍ両側合わせて５ｍｍの場合も元浮き差込部３は４ｍｍの元浮き差込部３が出来る。
【００１３】  この場合図４の元浮き頂部の突起部５の太さが直径４．５ｍｍより５．０ｍｍまでの太さの元浮き頂部の突起部５のものが挿入でき、図５例に示した連結浮き１の元浮き差込部３の内径が８ｍｍとして、その内側に介した柔軟性ゴム４の厚みが２．５ｍｍ両側合わせて５ｍｍで３ｍｍの元浮き差込部３が出来る。
【００１４】  この場合元浮き差込部３の柔軟性ゴム４を介した所と元浮き９の元浮き頂部の突起部５を２ｍｍとした場合、柔軟性ゴム４と元浮き頂部の突起部５の所の差込部３に隙間ができる、その隙間に例えば図６に示す固定棒７の目印の太さの合った部分を切断し元浮き９の元浮き頂部の突起部５の部分と同時に挿入すると連結浮き１と元浮き頂部の突起部５は固定され使用できる。
【産業上の利用可能性】
【００１５】  釣り用浮きに繋ぐ浮きで、各々決められた元浮きで、それに合う繋ぎで規定のみ使用可能で一般にはあまり使用されていません。【００１６】  元浮きを使用するには繋ぐところ、元浮きの頂部の突起部の太さが異なっていても連結浮きは挿入口が柔軟性ゴムが装着してあるので連結浮きを使用すると一般に使用されている元浮きに連結浮きを容易に差込使用することができ、釣具業者に有益なものである。
【図面の簡単な説明】
【００１７】
【図１】  正面図
【図２】  断面図
【図３】  底面図
【図４】  連結浮き挿入口柔軟性ゴム装着時元浮き挿入断面図
【図５】  連結浮き挿入口柔軟性ゴム固定棒切れ目切断時元浮き挿入断面図
【図６】  挿入部接続固定棒斜視図
【図７】  連結図
【００１８】  １        連結浮き
２        連結浮き頂部突起部
３        元浮き差込部
４        柔軟性ゴム
５        元浮き頂部の突起部
６        固定棒素材
７        固定棒
８        切れ目印
９        元浮き
１０      元浮き道糸通し金具付穴
１１      道糸通し金具
【図１】
0003132681.tif 000003
【図２】
0003132681.tif 000004
【図３】
0003132681.tif 000005
【図４】
0003132681.tif 000006
【図５】
0003132681.tif 000007
【図６】
0003132681.tif 000008
【図７】
0003132681.tif 000009